(57)【特許請求の範囲】
【請求項１】
動画データと、動画データのフレームに対応付けられた情報へのポインタとを多重して放送する放送装置と、
前記動画データのフレームに対応付けられた情報を前記ポインタで指定される箇所に格納するネットワークと、
前記放送装置からの動画データおよびポインタを受信するとともに、前記ネットワークに接続された受信装置と、
前記受信装置に接続された印刷装置とを含むビデオプリントシステムにおいて、
前記受信装置は、前記動画データに基づく動画を表示しつつ、ユーザからの画像選択指示があった場合に、その指示時点に対して所定の時間関係にある時点で表示していた動画のフレームに対応付けられたポインタを記憶保持し、
ユーザからの印刷要求があった場合には、記憶保持したポインタで指定される前記ネットワーク上の箇所に格納されている情報を取得して、取得した情報を前記印刷装置に出力することを特徴とするビデオプリントシステム。
【請求項２】
動画データと、動画データのフレームに対応付けられた情報へのポインタとを多重して放送する放送装置と、前記放送装置からの動画データおよびポインタを受信する受信装置と、前記受信装置で受信した動画データおよびポインタを格納および抽出可能な画像／音声記録再生手段と、前記受信装置に接続された印刷装置とを含むビデオプリントシステムにおいて、前記受信装置は、前記動画データに基づく動画を表示しつつ、ユーザからの画像選択指示があった場合に、その指示時点に対して所定の時間関係にある時点で表示していた動画のフレームに対応付けられたポインタを記憶保持し、ユーザからの印刷要求があった場合には、記憶保持したポインタで指定される前記画像／音声記録再生手段上に格納されている情報を取得して、取得した情報を前記印刷装置に出力することを特徴とするビデオプリントシステム。
【請求項３】
前記放送装置は、前記動画データのフレームより、そのフレームに対応付けられた情報へのポインタを先に送信し、
前記受信装置は、受信したポインタを一時的に記憶することを特徴とする請求項１または請求項２に記載のビデオプリントシステム。
【請求項４】
前記受信装置は、ユーザからの画像選択指示があった場合には、その指示時点から前後所定の範囲内に表示していた動画のフレームに対応付けられたポインタを記憶保持するものであり、
前記所定の範囲は前記指示時点から前側より後側が長くなるように設定されていることを特徴とする請求項１ないし請求項３の何れか１項に記載のビデオプリントシステム。
【請求項５】
前記受信装置は、ユーザからの印刷要求があった場合に、前記ユーザからの画像選択指示により記憶保持したポインタに対応するフレームのうち実際に印刷するものの特定をユーザに促し、ユーザが特定したフレームに対応するポインタで指定される前記ネットワーク上の箇所に格納されている情報を取得して、取得した情報を前記印刷装置に出力することを特徴とする請求項１ないし請求項４の何れか１項に記載のビデオプリントシステム。
【請求項６】
前記受信装置で受信したポインタは、同一フレームに対して様々な解像度に対応した複数ポインタを設定可能とし、ユーザの要求する解像度に応じて前記ポインタで指定された箇所から画像データを取得して、取得した情報を前記印刷装置に出力することを特徴とする請求項１ないし請求項５の何れか１項に記載のビデオプリントシステム。
【請求項７】
前記受信装置は、ユーザの要求する印刷構成の必要度に応じて複数のポインタを設定可能とし、前記ポインタは印刷位置を設定したりコンテンツを選択するポインタであり、格納場所の異なる複数のコンテンツからユーザの要求に応じた印刷を可能とすることを特徴とする請求項１ないし請求項６の何れか１項に記載のビデオプリントシステム。
【請求項８】
動画データと、動画データのフレームに対応付けられた情報へのポインタとが多重放送されるとともに、前記動画データのフレームに対応付けられた情報がネットワーク上の前記ポインタで指定される箇所に格納されている情報配信システムにおける受信装置において、前記放送装置からの動画データおよびポインタを受信するとともに、前記ネットワークに接続されており、前記動画データに基づく動画を表示しつつ、ユーザからの画像選択指示があった場合には、その指示時点に対して所定の時間関係にある時点で表示していた動画のフレームに対応付けられたポインタを記憶保持し、ユーザからの印刷要求があった場合には、記憶保持したポインタで指定される前記ネットワーク上の箇所に格納されている情報を取得して、取得した情報を出力することを特徴とする受信装置。
【請求項９】
動画データと、動画データのフレームに対応付けられた情報へのポインタとが多重放送されるとともに、前記動画データのフレームに対応付けられた情報が前記ポインタで指定される箇所に格納されている情報配信システムにおける受信装置において、
前記放送装置からの動画データおよびポインタを受信するとともに、前記受信した動画データおよびポインタは前記画像／音声記録再生手段に格納されており、
前記動画データに基づく動画を表示しつつ、ユーザからの画像選択指示があった場合には、その指示時点に対して所定の時間関係にある時点で表示していた動画のフレームに対応付けられたポインタを記憶保持し、ユーザからの印刷要求があった場合には、記憶保持したポインタで指定される前記画像／音声記録再生手段上に格納されている情報を取得して、取得した情報を出力することを特徴とする受信装置。
【請求項１０】
前記ポインタは、画像を識別するための識別番号（ＩＤ）或いはコンテンツのメタデータ、或いはフレーム番号、或いは時間データ等を含む記述言語のデータであることを特徴とする請求項８または請求項９に記載の受信装置。
【発明の詳細な説明】
【０００１】
【発明の属する技術分野】
本発明は、動画像を受信しつつ動画像のフレームに対応する情報を取得することを可能とするビデオプリントシステムであり、特にフレームを高画質な静止画で印刷することを可能とするビデオプリントシステムに関する。また、本発明は、上記ビデオプリントシステムにて利用できる情報配信システム、および受信装置に関するものである。
【０００２】
【従来の技術】
従来、ビデオカメラ等で撮影した動画を再生する際に、より高解像度の静止画を再現するための技術が開発されている。例えば、特開平１０−２６２２４４号公報に開示されている技術は、インターレース方式の動画データに対して、画像の動きを考慮しつつ偶数フィールドデータと奇数フィールドデータとに基づいて解像度変換した静止画を生成するようになっている。これにより、静止画の高解像度化と、動きの激しい画像のぶれの抑制を図っている。
【０００３】
また、特開平９−５１４９８号公報に開示されている技術は、画像撮影時において通常解像度の動画の記録中に高解像度の静止画を動画と対応づけて記録するようになっている。これにより、撮影者が意図した任意の時点での高解像度の静止画を取り出すことができるようになっている。
【０００４】
一方、テレビ放送では、特にデジタルテレビ放送等において番組と多重化させてデータを送るデータサービスが提案されており、そのデータとしては番組ガイドや番組関連情報等が提案されている。
【０００５】
しかしながら、動画の１フレームに含まれる画像情報の情報量は限られたものであり、上記のような解像度変換を行ったとしても得られる静止画の画質には限界があり、十分な画質を得ることは困難である。
【０００６】
また、デシタルテレビであっても単位時間当りのデータの伝送容量には制限があることから、上記のように多重化させてデータを送る方法で高解像度の静止画を送ろうとしても、高解像度の静止画を動画に対して十分な量だけ対応付けて送ることは困難である。
【０００７】
【発明が解決しようとする課題】
本発明は、上記の課題に鑑みてなされた発明であり、動画像を受信しつつその動画のフレームに対応する大容量の情報を容易に取得することを可能とするビデオプリントシステムおよび受信装置を提供することを目的としている。
【０００８】
【課題を解決するための手段】
上記課題を解決するために、本発明は、動画データと、動画データのフレームに対応付けられた情報へのポインタとを多重して放送する放送装置と、記動画データのフレームに対応付けられた情報を前記ポインタで指定される箇所に格納するネットワークと、前記放送装置からの動画データおよびポインタを受信するとともに、前記ネットワークに接続された受信装置と、前記受信装置に接続された印刷装置とを含むビデオプリントシステムにおいて、前記受信装置は、前記動画データに基づく動画を表示しつつ、ユーザからの画像選択指示があった場合には、その指示時点に対して所定の時間関係にある時点で表示していた動画のフレームに対応付けられたポインタを記憶保持し、ユーザからの印刷要求があった場合には、記憶保持したポインタで指定される前記ネットワーク上の箇所に格納されている情報を取得して、取得した情報を前記印刷装置に出力するようにした。
【０００９】
本発明は、動画データと、動画データのフレームに対応付けられた情報へのポインタとを多重して放送する放送装置と、前記放送装置からの動画データおよびポインタを受信する受信装置と、前記受信装置で受信した動画データおよびポインタを格納および抽出可能な画像／音声記録再生手段と、前記受信装置に接続された印刷装置とを含むビデオプリントシステムにおいて、前記受信装置は、前記動画データに基づく動画を表示しつつ、ユーザからの画像選択指示があった場合に、その指示時点に対して所定の時間関係にある時点で表示していた動画のフレームに対応付けられたポインタを記憶保持し、ユーザからの印刷要求があった場合には、記憶保持したポインタで指定される前記画像／音声記録再生手段上に格納されている情報を取得して、取得した情報を前記印刷装置に出力するようにした。
【００１０】
本発明は、上記ビデオプリントシステムにおいて、前記放送装置は、前記動画データのフレームより、そのフレームに対応付けられた情報へのポインタを先に送信し、前記受信装置は、受信したポインタを一時的に記憶する。
【００１１】
本発明は、上記ビデオプリントシステムにおいて、前記受信装置は、ユーザからの画像選択指示があった場合には、その指示時点から前後所定の範囲内に表示していた動画のフレームに対応付けられたポインタを記憶保持するものであり、前記所定の範囲は前記指示時点から前側より後側が長くなるように設定した。
【００１２】
本発明は、上記ビデオプリントシステムにおいて、前記受信装置は、ユーザからの印刷要求があった場合に、前記ユーザからの画像選択指示により記憶保持したポインタに対応するフレームのうち実際に印刷するものの特定をユーザに促し、ユーザが特定したフレームに対応するポインタで指定される前記ネットワーク上の箇所に格納されている情報を取得して、取得した情報を前記印刷装置に出力する。
【００１３】
本発明は、上記ビデオプリントシステムにおいて、前記受信装置で受信したポインタは、同一フレームに対して様々な解像度に対応した複数ポインタを設定可能とし、ユーザの要求する解像度に応じて前記ポインタで指定された箇所から画像データを取得して、取得した情報を前記印刷装置に出力するようにした。
【００１４】
本発明は、上記ビデオプリントシステムにおいて、前記受信装置は、ユーザの要求する印刷構成の必要度に応じて複数のポインタを設定可能とし、前記ポインタは印刷位置を設定したりコンテンツを選択するポインタであり、格納場所の異なる複数のコンテンツからユーザの要求に応じた印刷を可能とするようにした。
【００１６】
上記課題を解決するために、本発明は、動画データおよび動画データのフレームに対応付けられた情報へのポインタとが多重放送されるとともに、前記動画データのフレームに対応付けられた情報がネットワーク上の前記ポインタで指定される箇所に格納されている情報配信システムにおける受信装置において、前記放送装置からの動画データおよびポインタを受信するとともに、前記ネットワークに接続されており、前記動画データに基づく動画を表示しつつ、ユーザからの画像選択指示があった場合には、その指示時点に対して所定の時間関係にある時点で表示していた動画のフレームに対応付けられたポインタを記憶保持し、ユーザからの印刷要求があった場合には、記憶保持したポインタで指定される前記ネットワーク上の箇所に格納されている情報を取得して、取得した情報を出力するようにした。
【００１７】
上記課題を解決するために、本発明は、動画データと、動画データのフレームに対応付けられた情報へのポインタとが多重放送されるとともに、前記動画データのフレームに対応付けられた情報が前記ポインタで指定される箇所に格納されている情報配信システムにおける受信装置において、前記放送装置からの動画データおよびポインタを受信するとともに、前記受信した動画データおよびポインタは前記画像／音声記録再生手段に格納されており、前記動画データに基づく動画を表示しつつ、ユーザからの画像選択指示があった場合には、その指示時点に対して所定の時間関係にある時点で表示していた動画のフレームに対応付けられたポインタを記憶保持し、ユーザからの印刷要求があった場合には、記憶保持したポインタで指定される前記画像／音声記録再生手段上に格納されている情報を取得して、取得した情報を出力するようにした。
【００２０】
本発明は、上記ビデオプリントシステムの受信装置が受信する前記ポインタは、画像を識別するための識別番号（ＩＤ）或いはコンテンツのメタデータ、或いはフレーム番号、或いは時間データ等を含む記述言語のデータであるようにした。
【００２１】
（作用）
上記の構成を有するピデオプリントシステムは、放送装置から動画データに重畳されて送られるデータが例えばＵＲＬ等のポインタであるため、１つのデータの容量を小さくすることができ、動画のより多くのフレームに対してポインタを重畳させて送ることができる。
【００２２】
また、ユーザが選択した画像を印刷する際には、ネットワークを介して選択したフレームに対応する情報のみを取得すればよいため、各フレームに対応する情報としては十分な情報量を割り当てることができる。したがって、上記フレームに対応する情報として例えば動画に対応する静止画を対応させておくと、極めて高画質な静止画を印刷することが可能になる。
【００２３】
上記の構成を有するビデオプリントシステムは、ポインタに印刷するための画像データ参照先やテキストデータ、配置情報等を組み込めるような構造にすることにより、ポインタの内容に基づいて情報を取得し印刷画面を作成するので、表示フレームに対して大容量の情報を含んだものを印刷することが可能になる。
【００２４】
さらに、上記の構成を有するビデオプリントシステムは、フレームより先にそのフレームに対応するポインタが受信装置に送られ、送られたポインタを受信装置が一時的に記憶するので、ユーザがそのフレームを見る時点で、ポインタが受信装置に記憶された状態となるようにすることができる。これにより、ユーザからの画像選択指示があった場合に、対応するポインタを確実に記憶保持することができ、ユーザの意図した情報の取得をより確実化することができる。
【００２５】
上記の構成では、動画表示中にユーザが印刷したい画像を認識してから選択指示を行うまでの遅延時間を考慮した設定となり、ユーザの意図した情報の取得をより確実化することができる。さらに、ユーザは動画表示中にとりあえず印刷したい候補画面を指示しておき、後から必要な画面に絞って印刷を実施することが可能になる。
【００２６】
上記の構成を有する情報配信システムは、動画データに基づいてその動画データのフレームに関連するより情報量の多い情報へのアクセスを容易にすることができる。
【００２７】
上記の構成を有する受信装置は、取得した情報を例えば印刷装置に出力することにより、前記ビデオプリントシステムの場合と同様、フレームに対応する極めて高画質な静止画を印刷することが可能になる。
【００２８】
上記の構成を有する受信装置は、取得した情報を例えば印刷装置に出力することにより、請求項１の場合と同様、フレームに対応する極めて高画質な静止画を印刷することが可能になる。さらに、特定されたフレームの近傍にポインタが存在しない場合でも、動画データそのものを印刷用データとして出力することができる。したがって、そのフレームに対応して出力するデータが存在しないという事態を回避することができる。
【００２９】
上記の構成を有する受信装置は、印刷要求があった画面に対し複数のポインタを持っている場合、ポインタの内容に基づいた印刷する情報を、ユーザの好みおよび端末環境等に応じて、ユーザが選択したり、受信装置が判別したりすることで、詳細な情報を適切な形で印刷することが可能である。
【００３０】
上記の構成を有する受信装置は、同一画面に対して様々な解像度に対応したポインタを持つ場合、ユーザの好みや端末環境に応じた解像度を選択することで、適切な画像データを印刷することが可能となる。
【００３１】
上記構成を有する受信装置で、受信装置と画像データなどが格納されている記録装置が直接接続されている場合も、ポインタを用いて記録装置内部のデータを直接指定し、そのデータを取得して印刷することで、大容量の情報を含んだものを印刷することが可能になる。
【００３２】
【発明の実施の形態】
本発明の実施の一形態について図に基づいて説明する。図１は、本実施の形態にかかるビデオプリントシステムならびに情報配信システムの概要を示すブロック図である。このシステムは、主に放送受信装置１０、放送局９０、ネットワーク６０から構成されている。なお、本システムにおける放送としては、デジタルテレビ放送が特に好ましい。
【００３３】
放送局９０から送られてくる信号（画像データ等）は、アンテナ（地上波放送や衛星放送等の場合）やケーブル（ケーブルテレビ等の場合）を介して画像／音声受信装置９１により受信され放送受信装置１０に入力される。放送受信装置１０に入力された信号は、所定の処理が施されてディスプレイ装置３０やスピーカ３５に出力される。これにより、ユーザが放送内容を視聴することができる。また、ディスプレイ装置３０やスピーカ３５にて出力されるべき画像データや音声データは、必要に応じて画像／音声記録装置５０に記録される。
【００３４】
ネットワーク６０には、サーバ装置６１が接続されている。放送受信装置１０は、ネットワーク６０を介してサーバ装置６１に蓄積されているデータを取得することができる。このサーバ装置６１は複数あってもよく、ＵＲＬ等でデータが蓄積されている箇所を指定できればよい。
【００３５】
放送受信装置１０には、印刷装置７０が接続されており、後述する放送内容に関連する静止画等を印刷できるようになっている。なお、ここでは印刷装置７０が放送受信装置１０に直接接続されているように図示しているが、ローカルなネットワーク等を介して接続されていてもよい。
【００３６】
また、放送受信装置１０は、リモートコントローラ（リモコン）４０によりコントロールされるようになっている。このリモコン４０は図８に示すような構造を有している。
【００３７】
なお、画像／音声受信装置９１にて受信された画像データ等は他の画像／音声再生装置５５にも送られるようになっていてもよい。
【００３８】
放送受信装置１０は、チャンネル切替装置１０１と、画像データアドレス情報抽出装置１０２と、画像復調装置１０３と、音声復調装置１０４と、情報管理装置１１０と、情報記録装置１２０と、画像調整装置１３２および音声調整装置１３２とを有する信号調整装置１３０と、画像出力装置１４１と音声出力装置１４２とを有する信号出力装置１４０と、チャンネル切替部１５１と印刷処理部１５２と、画像音声調整部１５３と出力調整部１５４とを有する制御部１５０と、受信機１６１とリモコン情報入力部１６２と情報解析部１６３とを有するリモコン受信部１６０と、画像データ取得部１７０と、ネットワーク処理部１８０と、印刷データ生成部１９１と印刷制御部１９２と出力ポート１９３を有する印刷データ処理装置１９０とを備えて構成される。
【００３９】
本システムにおいて、放送局９０から送られてくる信号について図２および図３を用いて説明する。放送局９０から送られてくる信号は、図２に示すように、画像／音声データＤＰと画像データアドレス情報ＤＡとに大別することができる。画像／音声データＤＰは、ディスプレイ装置３０やスピーカ３５によって再生されるべきデータである。このデータは従来の放送において送られてくる信号に相当しており、フレームごとに順次送られてくる。画像データアドレス情報は放送されている内容に対応付けられたデータであり、ここでは放送されている各フレームの高解像度静止画像が蓄積されているネットワーク６０上の場所を指定するＵＲＬ等（アドレス）と、そのアドレスに蓄積されているデータに対応するサムネイル画像（サムネイル画像データ）とからなっている。
【００４０】
画像／音声データＤＰと画像データアドレス情報ＤＡとは、互いに重畳されて放送局９０から送られてくる。このとき、画像／音声データＤＰと画像データアドレス情報ＤＡとは、図２に示すように各フレームごとに１対１に対応付けられていてもよく、図３に示すように、データヘッダとデータ本体に分け、データ本体に搭載された複数のフレーム（例えば、放送内容における一連のシーン等に対応するフレーム）に相当する画像／音声データＤＰに対して、データヘッダに搭載された１つの画像データアドレス情報ＤＡが対応付けられていてもよい。前者（図２）の場合には、特に必要とされないフレームに対しては画像データアドレス情報ＤＡが無くてもよい。後者（図３）の場合には画像データアドレス情報ＤＡにさらにフレーム情報が含まれている。このフレーム情報は、その画像データアドレス情報ＤＡに対応するフレームを指定する情報であり、このフレーム情報によってフレームと画像データアドレス情報とが対応付けられる。
【００４１】
このように、放送局９０からは放送内容（画像／音声データ：ＤＰ）と、その放送内容に対応するデータ（画像データアドレス情報：ＤＡ）とがリンクされて送信される。
【００４２】
なお、フレームに対応付けられ、ネットワーク６０上に蓄積されたデータは、フレームの高解像度静止画像に限らず、そのフレームに対応したデータであり、視聴者が欲すると思われるものであれば、どのようなデータでもよい。
【００４３】
次に、放送局９０から送られてくる上記信号が放送受信装置１０内でどのように処理されるかについて図１に戻って説明する。まず、チャンネル切替装置１０１は、複数の放送局から送られてくる信号のうち所定の放送局からのものを選択して出力する。チャンネル切替装置１０１から出力された信号は、画像データアドレス情報抽出装置１０２、画像復調装置１０３、および音声復調装置１０４にそれぞれ入力される。画像データアドレス情報抽出装置１０２は、放送局９０からの信号のうち上記画像データアドレス情報ＤＡを抽出するものである。画像復調装置１０３は、放送局９０からの信号の画像／音声データＤＰのうち画像データを抽出して復調するものである。同様に、音声復調装置１０４は画像／音声データのうち音声データを抽出して復調するものである。
【００４４】
音声復調装置１０４で復調された音声データは、音声調整装置１３２で調整され音声出力装置１４２を介してスピーカ３５から出力され、必要に応じて画像／音声記録装置５０に記録される。
【００４５】
一方、画像データアドレス情報抽出装置１０２および画像復調装置１０３からの出力は、情報管理装置１１０に入力される。情報管理装置１１０は情報記憶装置１２０に接続されており、画像データアドレス情報や復調された画像データを適宜情報記憶装置１２０に記憶させる。より具体的には、フレームに対応する画像データアドレス情報が存在するときにはその画像データアドレス情報を情報記憶装置１２０に記憶させ、存在しないときには復調された画像データを記憶させる。なお、この時点ではデータは一時的に記憶されるものであり、後述する画像データアドレス情報記憶処理にて指定される保存データ以外のデータは所定期間経過後に他のデータにより上書きされることで削除される。
【００４６】
この情報記憶装置１２０に記憶させたデータを用いて、後述する印刷処理を行うことができる。また、情報管理装置１１０は後述する印刷画像選択処理において、情報記憶装置１２０に記憶された画像データまたはネットワーク６０を介して取得された画像データを画像調整装置１３１に送ることで、その画像をディスプレイ装置３０に表示させる機能も有する。
【００４７】
また、画像復調装置１０３から情報管理装置１１０に入力された画像データは画像調整装置１３１で調整され画像出力装置１４１を介してディスプレイ装置３０から出力され、必要に応じて画像／音声記録装置に記録される。
【００４８】
上記チャンネル切替装置１０１、情報管理装置１１０、画像調整装置１３１・音声調整装置１３２、および画像出力装置１４１・音声出力装置１４２は、制御部１５０のそれぞれチャンネル切替部１５１、印刷処理部１５２、画像音声調整部１５３、および出力切替部１５４と接続されており、これらによって制御される。
【００４９】
また、制御部１５０は、リモコン受信部１６０と接続されており、ユーザによるリモコン４０からの指示に基づいてチャンネル切替、印刷処理、画像音声調整、および出力切替が行われる。ここで、リモコン受信部１６０はリモコン４０からの信号を受ける受信機１６１、リモコン情報入力部１６２およびその信号を解析する情報解析部１６３を有している。
【００５０】
制御部１５０の印刷処理部１５２は、ユーザによりリモコン４０からの指示に基づいて情報管理装置１１０に対して後述する画像データアドレス情報記憶処理、印刷画像選択処理等を行わせる。また、印刷処理部１５２は後述する印刷処理を行う。
【００５１】
上記各処理について説明する。まず、画像データアドレス情報記憶処理について図４に基づいて説明する。放送受信装置１０の電源がＯＮされると、受信された信号には上記チャンネル切替装置１０１から画像出力装置１４１・声出力装置１４２への一連の処理が施される。この処理と並行して印刷処理部１５２により次の処理が行われる。まず、リモコン４０からの電源ＯＦＦの要求がなされたか否か（リモコン４０の「電源」ボタンが押されたか否か）を判別する（ステップＳ１）。ここで電源ＯＦＦ要求がなされている場合には処理を終了して電源をＯＦＦするが、電源ＯＦＦ要求がなされていない場合には、リモコン４０から画像保存要求がなされたか否か（リモコン４０の「画像保存」ボタンが押された否か）を判別する（ステップＳ２）。画像保存要求がなされた場合には、情報管理装置１１０を介してその要求を認識した時点に対して所定の時間的関係にあるフレームの画像データアドレス情報を保存データとして指定する（ステップＳ３）。ここで保存データに指定された画像データアドレス情報は、情報記憶装置１２０に一時的に記憶された他の画像データアドレス情報とは区別されて保存される。つまり、保存データに指定された画像データアドレス情報は、後で他のデータにより上書きされて削除されることがない。
【００５２】
受信内容の再生と並行して上記の処理が繰り返されることにより、ユーザは放送内容を視聴しながら、その視聴している動画の中から印刷したいフレームをリモコン４０で指定することにより、印刷したい画像に関する情報を蓄積することができる。
【００５３】
なお、画像保存要求があった場合に、保存データに指定する画像データアドレス情報に対応するフレームをどのフレームとするか、つまり画像保存要求とフレームとの時間的な関係は、ディスプレイ装置３０でのそのフレームの表示タイミングに対してユーザの反応時間によるタイムラグを考慮して設定すればよい。例えば画像保存要求の時点に対して前後１秒程度の範囲内のフレームにおいて画像データアドレス情報を含むものの中から、画像保存要求の時点に最も近いものを保存データに指定することが考えられる。また、ユーザの反応時間を考慮すると、画像保存要求の時点に対して前側を短く後側を長くとった範囲内のフレームを対象としてもよい。
【００５４】
なお、画像データアドレス情報は、図２および図３に示すように画像／音声データより先に送られることが好ましい。これにより、ユーザが画像保存要求をした時点では画像データアドレス情報が情報記憶装置１２０に記憶されていることになり、画像データアドレス情報記憶処理を確実に行うことができる。
【００５５】
ステップＳ２において画像保存要求がなされていなかった場合、またはステップＳ３処理後は、ステップＳ４において印刷画像選択要求がなされたか否かを判別する。ここで印刷画像選択要求がなされている場合にはステップＳ５において印刷画像選択処理を行い、印刷画像選択要求がなされていない場合にはステップＳ１に戻る。
【００５６】
次に、印刷画像選択処理について図５に基づいて説明する。まず、情報記憶装置１２０内に保存データとして指定されたデータがあるか否かを判別する（ステップＳ１１）。ここで、保存データがない場合にはリターンし、ある場合にはステップＳ１２に進む。ステップＳ１２では、情報記憶装置１２０に保存データとして指定された画像が情報管理装置１１０によりディスプレイ装置３０に表示される。ここで情報記憶装置１２０内に放送局９０から送られたサムネイル画像データが保存されている場合にはそのサムネイル画像を表示する。サムネイル画像データが保存されていない場合には、情報記憶装置１２０に保存されているアドレスに基づいて、印刷処理部１５２により画像データ取得部１７０、ネットワーク処理部１８０、ネットワーク６０を介してサーバ装置６１から対応する画像のサムネイルを取得して表示する。なお、サムネイルを表示しているときのディスプレイ装置３０の画面は、例えば図６に示すようなものである。
【００５７】
このサムネイル画像に基づいてユーザはリモコン４０のカーソル（「←」ボタン、「→」ボタン）と「選択」ボタンとにより印刷する画像を決定する（ステップＳ１３）．決定されたサムネイルに対応する画像データアドレス情報は、情報記憶装置１２０内において他の保存データから区別して印刷データとされる。ユーザによる選択が終了するとステップＳ１４に進む。
【００５８】
ステップＳ１４では、ユーザがリモコン４０の「終了」ボタン、「拡大」ボタン「印刷」ボタンの何れかを押すまで待機する。ここで、「終了」ボタンが押されるとサムネイル画像の表示を終了し、通常の受信画像に戻る（ステップＳ１５）。「印刷」ボタンが押されると、後述する印刷処理（ステップＳ１６）に移行し、印刷処理が終了するとステップＳ１５に移行する。「拡大」ボタンが押されると決定されたサムネイル画像を拡大してディスプレイ装置３０に表示する（ステップＳ１７）。このとき、サムネイル画像を解像度を低下させて拡大表示してもよいが、サーバ装置２６から高解像度の静止画像を取得して表示してもよい。そして、ステップＳ１８においてユーザがリモコン４０の「終了」ボタン、または「印刷」ボタンの何れかを押すまで待機する。「終了」ボタンが押されるとステップＳ１５に移行し、「印刷」ボタンが押されると印刷処理に移行する。なお、印刷処理が完了するとステップＳ１５に移行する。
【００５９】
次に、印刷処理について図７に基づいて説明する。印刷処理では、まず決定されたサムネイルに対応する印刷画像データを印刷処理部１５２によりサーバ装置６１から取得する（ステップＳ２１）。なお、上記ステップＳ１７において高解像度の静止画像が既に取得されている場合はこのステップを省略することができる。そして、印刷のための各種設定をするために印刷設定画面をディスプレイ装置３０に表示する（ステップＳ２２）。この印刷設定画面に基づいてユーザは印刷装置の選択等を行った後、印刷実行を指示する（ステップＳ２３）。これにより、印刷処理部１５２が印刷画像データを印刷データ処理装置１９０を介して指定された印刷装置７０に送り、指定された設定で印刷を実行させる（ステップＳ２４）。
【００６０】
以上のように、この実施の形態によれば、動画像を受信しつつその動画のフレームに対応する大容量の情報を容易に取得することを可能とすることができ、指定された印刷装置で指定された設定で印刷を実行することができる。
【００６１】
以下、本発明の第２の実施の形態について、図９以降を用いて説明する。この実施の形態は、データアドレスを示すポインタがＸＭＬ（eXtensible Markup Language）のような記述言語を用いて記述されたデータとし、同一のフレーム画像に複数のポインタを設定するようにした例である。
【００６２】
図９は、放送局９０から送られる信号が、ＸＭＬで記述した第１のポインタＤＡａ及び第２のポインタＤＡｂなどをまとめているデータヘッドＤＨと、実際の画像・音声データＤＰ１〜ＤＰｎ等で構成するデータ本体ＤＢを多重化した例を示す。第１のポインタＤＡ１ａ、第２のポインタＤＡ１ｂなどと表示する場合は、フレーム１と対応付けて説明する場合である。
【００６３】
第１のポインタＤＡａ及び第２のポインタＤＡｂは、あるフレームの画像データＤＰに対する印刷データを示すポインタである。ポインタＤＡａは、画像データへのリンク先を示す要素ＰＰａと、別の画像データへのリンク先を示す要素ＬＰａで構成している。さらに、要素ＰＰａには、『位置＝“右”』という画像データの属性ＡＰａも記載してある。ポインタＤＡｂはリンク先を示す要素ＰＰｂとテキストデータである要素ＴＸで構成している。
【００６４】
ＸＭＬを用いてポインタを構成する場合、ポインタＤＡａは、内部でポインタＰＰａ及びポインタＬＰａのように複数の画像参照先を持てるので、一枚の印刷データを複数の画像データから構成するポインタを作成することが可能である。その上、印刷対象物の配置情報も位置といった属性ＡＰ等を使用して書くことが可能である。その結果、このポインタからは図１０の例のように表示フレーム２１から印刷画面２２を作成することができ、表示フレームと印刷画面をより詳細な情報を提供するなど、様々な印刷画面構成を作成することが可能となる。
【００６５】
更に、図９のＸＭＬを用いてポインタＤＡ１ｂのように、画像の参照要素ＰＰｂとテキスト要素ＴＸを一緒にしたポインタＤＡｂとすることで、画像とテキストデータを一緒に配置して図１０の印刷画面２３を印刷することが可能となる。この場合、テキスト要素ＴＸは表示フレーム２１に直接表示してある文だけではなく、記述言語にて独自にテキストデータを追加・作成することができる。例えば表示フレーム２１を詳細に説明するコメントを印刷画面に入れることで、より大容量の情報を持つ印刷ができる。
【００６６】
また、画像を参照するためのポインタはＵＲＩ（Unique Resource Identifier），ＵＲＬやＸＭＬで構成する手法だけに限定する必要はない。ＩＤ（Identifier）を使用したポインタでは、放送受信装置でＩＤから画像等のデータを識別して、印刷画面を取得、作成してもよい。フレーム番号や時間データなどでポインタを構成した場合も、参照する画像データはシステム上で算出して取得、作成することで、前記手法と同様の効果が得ることができる。
【００６７】
上記のように、データアドレスを示すポインタに記述言語を用いたときのフレーム画像を印刷する場合に関して説明する。
【００６８】
ユーザからあるフレーム画像を印刷する要求があったとき、受信装置はその画像フレームデータに付随するポインタを用いて、印刷する画像データを取得する。このとき、そのフレームに対してポインタを複数用意し、そのポインタが様々な解像度に対応したデータに対応づけておく。印刷したユーザは、自分の受信装置、印刷装置などの端末環境やユーザ自身の好みなどに応じて、適した解像度の印刷用の画像データを示すポインタを選択することにより、大容量かつ高品質の情報を取得して印刷することが可能となる。
【００６９】
図１２は、上記のような印刷を行うときのフローチャートである。以下、フローチャートに従って、印刷手順を説明する。ユーザからある表示フレームに対して印刷要求があったとき、データヘッドＤＨを参照して当該表示フレームに対して複数のポインタが用意されているか否かを判別する（Ｓ３１）。
【００７０】
ステップＳ３１で、複数のポインタが存在している場合は、そのポインタの内容が解像度に応じて印刷すべき画像データを変えられるようなポインタであるか否かを判別する（Ｓ３２）。解像度に応じて印刷データが変更できるようなポインタが存在する場合は、接続されているプリンタからプリンタで印刷可能な解像度の情報を入手する（Ｓ３３）。ステップＳ３２で入手したポインタの内容とステップＳ３４で入手したプリンタの解像度から得た情報等を元に判別した、印刷可能な又は印刷するのに適切な解像度の画像データ及び解像度の情報を画面に提示する（Ｓ３４）。その後、ユーザは提示された画像データから自分で印刷したい画面を、ユーザ自身の好みや機器の環境などを考慮して選択し（Ｓ３５）、印刷すべき画像データをポインタに基づいて取得する（Ｓ３６）。その後、取得された画像データを元に実際に印刷するための処理を行ない、プリンタで印刷する（Ｓ３７）。
【００７１】
ステップＳ３１において、複数のポインタが存在しない場合には、ポインタに従って画像データを取得し（Ｓ３６）、その後、取得された画像データを元に実際に印刷するための処理を行ない、プリンタで印刷する（Ｓ３７）。本来ならばポインタがない場合についても考えるべきだが、ここでは省略する。
【００７２】
ステップＳ３２の判断において、ポインタの内容が解像度とは関係ない場合はユーザが印刷したい画像を選択し（Ｓ３５）、ステップＳ３６、Ｓ３７の流れによって、印刷する。
【００７３】
図１０は、一つの表示フレームから二つの印刷画面を作成できることを示す具体例である。ある表示フレーム２１に対応した複数のポインタがあることにより、ユーザが欲する情報等に応じて、印刷すべき内容を変更することが可能である。この実施の形態によれば、例えば、ポインタの内容に応じて印刷画面２２のように印刷したり、印刷画面２３のように印刷するなど、１つ表示のフレームに対してユーザは様々な印刷画面の中から選択して印刷することが可能になる。
【００７４】
次に、図２では、ネットワーク上のサーバから画像データを取得し、印刷する場合を説明したが、ここでは、受信したデータを画像／音声記録再生装置に格納し、格納したデータを再利用して印刷する場合について図１１に基づいて説明する。図１１では、図２と同一の構成要素には、同一の符号を付しており、その詳細な説明は、省略する。
【００７５】
図１１の受信装置は、図１では放送受信装置１０の外部にあった画像データを保存、管理するための手段であるサーバ装置６１と画像／音声記録装置５０を備えた装置が、画像／音声記録・再生装置５１として統合して存在し、放送受信装置１０の画像データ取得部１７０と直接接続されており、その他は図１と変わらないモデルを示した図である。この画像／音声記録・再生装置５１は、画像データ等を検索、取得、管理、保存等を行う機能も備えている。この実施の形態では、画像／音声記録・再生装置５１を、放送受信装置１０の外部に設けた例として示したが、この画像／音声記録・再生装置５１を、放送受信装置１０内部に設けた内蔵型モデルとすることも可能である。
【００７６】
画像／音声記録・再生装置５１が放送受信装置１０に直接接続されていることで、放送受信装置１０はポインタが画像／音声記録・再生装置５１のデータを示している場合、データを画像／音声記録・再生装置５１に蓄積されているデータから直接取得することができる。その結果として、直接接続されている画像／音声記録・再生装置５１から画像データを取得することにより、大容量の情報の印刷が行える。ポインタは画像／音声記録・再生装置５１に蓄積されている画像データ等のデータだけではなく、画像／音声記録・再生装置５１に記録されている画像フレームを含んでいるコンテンツのフレームやデータ放送の特定データ・フレーム等を参照することができる。これは、ポインタに自分のコンテンツが保存されているロケーション情報とフレームの位置を示すフレーム番号或いはフレームを参照する時間といった情報を含むことで行える。
【００７７】
それだけではなく、前述の手法を利用して、画像／音声記録・再生装置５１に蓄積済みの他コンテンツの特定フレームやデータ放送の特定データ・フレーム等を参照することも可能である。これらの参照を行うとき、ポインタで参照されているフレームデータを事前に抽出し、印刷用データを作成し、その印刷データを画像／音声記録・再生装置１０に保存しておくことにより、印刷を素早く行うことも可能である。
【００７８】
なお、この例として画像データをあげたが、画像だけでなく文字データなど印刷可能なデータを含んでもよい。また、ポインタで参照される画像データの格納場所は一ヵ所に限定されず、ネットワークで接続されているサーバや直接接続されている画像／音声記録装置など様々な格納場所からデータを取得して印刷することが可能である。
【００７９】
以上のように、デジタルテレビ放送の動画と多重化させるデータサービスとして動画の特定フレームと対応させた印刷用データへのポインタを持たせておき、受像機側で動画を印刷する操作を行った場合にポインタをたどって印刷用データを取得して印刷を行う。ポインタで指定されるサーバには、デジタルテレビで放送する動画のフレームと対応する静止画を蓄えておく。ユーザがデジタルテレビ番組を視聴しながら画面の印刷を指示することで、そのフレームと対応する静止画をサーバから取得して印刷に用いることができ、これにより放送された動画データによる印刷に比べて高画質な印刷結果を得る。
【００８０】
なお、サーバから取得する情報は対応するフレームの静止画に限るものではなく、そのフレームに関連する情報であればよい。デジタルテレビ放送にフレームに関連する情報そのものを多重させて放送する場合と比較して、より大容量の情報を提供することが可能になる。
【００８１】
【発明の効果】
以上のように、本発明によれば、動画データおよび動画データのフレームに対応付けられた情報へのポインタとを多重して放送する放送装置と、前記動画データのフレームに対応付けられた情報を前記ポインタで指定される箇所に格納するネットワークと、前記放送装置からの動画データおよびポインタを受信するとともに、前記ネットワークに接続された受信装置と、前記受信装置に接続された印刷装置とを含むビデオプリントシステムおよび情報配信システムならびに該情報配信システムにおける受信装置において、動画像を受信しつつその動画のフレームに対応する大容量の情報を容易に取得することを可能とすることができる。
【００８２】
更に、ポインタの形態を様々な形で提供することによって、動画フレームに対応する大容量の情報をユーザの好みや端末環境に応じて取得し、印刷することが可能になる。受信装置と画像データなどが格納されている記録装置が直接接続されている場合も、同様である。
【図面の簡単な説明】
【図１】本発明にかかるビデオプリントシステム、情報配信システム、受信装置の構成を説明するブロック図。
【図２】本発明において、放送局から送られる信号の例を説明する図。
【図３】本発明において、放送局から送られる信号の他の例を説明する図。
【図４】画像データアドレス情報記憶処理の流れを示すフローチャート。
【図５】印刷画像選択処理の流れを説明するフローチャート。
【図６】サムネイル画像の例を説明する図。
【図７】印刷処理の流れを説明するフローチャート。
【図８】リモートコントローラの構造例を説明する平面図。
【図９】本発明において、放送局から送られる信号の他の例を説明する図。
【図１０】印刷画面の例を説明する図。
【図１１】本発明にかかる他のビデオプリントシステム、情報配信システム、受信装置の構成を説明するブロック図。
【図１２】他の印刷画像選択処理の流れを説明するフローチャート。
【符号の説明】
１０  放送受信装置
１０１  チャンネル切替装置
１０２  画像データアドレス情報抽出装置
１０３  画像復調装置
１０４  音声復調装置
１１０  情報管理装置
１２０  情報記憶装置
１３０  信号調整措置
１３１  画像調整装置
１３２  音声調整装置
１４０  信号出力装置
１４１  画像出力装置
１４２  音声出力装置
１５０  制御部
１５１  チャンネル切替部
１５２  印刷処理部
１５３  画像音声調整部
１５４  出力切替部
１６０  リモコン受信部
１６１  受信機
１６２  リモコン情報入力部
１６３  情報解析部
１７０  画像データ取得部
１８０  ネットワーク処理部
１９０  印刷データ処理装置
１９１  印刷データ生成部
１９２  印刷装置制御部
１９３  出力ポート
２１  表示フレーム
２２  印刷画面
２３  印刷画面
３０  ディスプレイ装置
３５  スピーカ
４０  リモートコントローラ
５０  画像／音声記録装置
５１  画像／音声記録・再生装置
５５  画像／音声再生装置
６０  ネットワーク
６１  サーバ装置
７０  印刷装置
９０  放送局
９１  画像／音声受信装置
ＡＰａ  画像データの属性
ＤＡａ  第１のポインタ
ＤＡｂ  第２のポインタ
ＤＢ  データ本体
ＤＨ  データヘッド
Ｌｐａ  画像データへのリンク先を示す要素
ＰＰａ  画像データへのリンク先を示す要素
ＰＰｂ  画像データへのリンク先を示す要素
ＴＸ  テキストデータである要素
【図１】
0003989198.tif 000002
【図２】
0003989198.tif 000003
【図３】
0003989198.tif 000004
【図４】
0003989198.tif 000005
【図５】
0003989198.tif 000006
【図６】
0003989198.tif 000007
【図７】
0003989198.tif 000008
【図８】
0003989198.tif 000009
【図９】
0003989198.tif 000010
【図１０】
0003989198.tif 000011
【図１１】
0003989198.tif 000012
【図１２】
0003989198.tif 000013